(57)【特許請求の範囲】
【請求項１】
全ての字画が二つの平面を「山稜」の形状になるように交わらせることにより形成され、前記「山稜」の形状の脊梁部で字形を構成し、前記「山稜」の形状を構成する「山稜」の表面に孔を有して、前記「山稜」の形状を構成する「山稜」の表面の底部が長手方向に側面に接続され、
前記字形の図案に応じた３次元立体状のモールドの区域部件に対応する平面展開ユニットが溶接されている、ことを特徴とする３Ｄ立体金属字。
【請求項２】
前記側面に孔を有する、ことを特徴とする請求項１に記載の３Ｄ立体金属字。
【請求項３】
さらに底板を備えて、底板の形状が前記字の字画の形状と一致して、前記底板が側面に固定接続されて、底部空間を形成することを特徴とする請求項１又は２に記載の３Ｄ立体金属字。
【請求項４】
前記「山稜」の表面及び側面が金属材で製造される、ことを特徴とする請求項１から３の何れか１項に記載の３Ｄ立体金属字。
【請求項５】
前記孔のある場所に、透光材料を敷く、ことを特徴とする請求項１又は２に記載の３Ｄ立体金属字。
【請求項６】
前記底部空間に、発光素子が取り付けられる、ことを特徴とする請求項３に記載の３Ｄ立体金属字。
【請求項７】
請求項１〜６の何れか１項に記載の３Ｄ立体金属字を製造する方法であって、
字形図案に応じて、一定の寸法比例で前記字形の３Ｄ立体状のモールドを作成し、前記３Ｄ立体状のモールドの字形の全ての字画が二つの平面を「山稜」の形状になるように交わらせることにより形成されるＳ１工程と、
前記３Ｄ立体状のモールドを１個又は２個以上の前記区域部件に分割し、且つ前記区域部件に数字またはシンボルをそれぞれ標記するＳ２工程と、
前記区域部件の各面に拓本材料を敷くことにより、前記区域部件に対応する前記平面展開ユニットを得て、対応する区域部件と同じな番号で前記平面展開ユニットをそれぞれ標記するＳ３工程と、
Ｓ１工程における寸法比例に応じて前記平面展開ユニットを拡大するＳ４工程と、
金属板を切り割ることにより、拡大した平面展開ユニットが得られるＳ５工程と、
字形図案と前記区域部件の標記番号によって、前記区域部件の位置と同じな平面展開ユニットを溶接し成形させるＳ６工程と、を含む、
ことを特徴とする３Ｄ立体金属字の製造方法。
【請求項８】
前記拓本材料はインスタントステッカー又は粘着紙である、ことを特徴とする請求項７に記載の３Ｄ立体金属字の製造方法。
【請求項９】
孔の配置を予定する平面展開ユニットに対して孔をあける、ことを特徴とする請求項７又は８に記載の３Ｄ立体金属字の製造方法。
【発明の詳細な説明】
【技術分野】
【０００１】
本発明は広告照明器具の分野に関する。特に、３Ｄ立体金属字及びその製作方法に関する。
【背景技術】
【０００２】
社会経済の急速な発展に伴って、ライトボックスは各商業施設や公共の場所に好かれて来た。ライトボックスは昼間に標識字を明るくさせる一方、昼間にきれいな金属字を表し、夜間に立体感のよい発光金属字看板を表し、且つ耐久性を有するため、都市看板標識字のトレンドである。現在、伝統な凸状字、平面形金属字ジェルの反射字、或は金属字ジェル-平面形有機ガラス材料の正面発光字が基本的な発光字の種類として、ライトボックスによく使用されるが、立体感を有しないだけではなく、モデリングが単調で、高級感が不十分で、夜間の視覚的な効果が目立たないため、通行人の注目を長期間に集める効果を発揮することができない。
【発明の概要】
【発明が解決しようとする課題】
【０００３】
本発明は構造が新規で、意匠が美しく、視覚的な効果が目立つ３Ｄ立体金属字及びその製作方法を提供することを課題とする。
【課題を解決するための手段】
【０００４】
上記の課題を解決するために、本発明に係る３Ｄ立体金属字は、全ての字画が二つの平面を「山稜」の形状になるように交わらせることにより形成され、前記「山稜」の形状の脊梁部で字形を構成し、前記「山稜」の形状を構成する「山稜」の表面に孔を有して、前記「山稜」の形状を構成する「山稜」の表面の底部が長手方向に側面に接続され、字形の図案に応じた３次元立体状のモールドの区域部件に対応する平面展開ユニットが溶接されていることを特徴とする３Ｄ立体金属字を提供する。
【０００５】
本発明に係る３Ｄ立体金属字の製作方法は、
字形図案に応じて、一定の寸法比例での前記字形の３Ｄ立体状モールドを作成し、前記３Ｄ立体状モールドの字形の全ての字画が二つの平面を「山稜」の形状になるように交わらせることにより形成されるＳ１工程と、
前記３Ｄ立体状モールドを１個又は２個以上の区域部件に分割し、且つ前記区域部件に数字またはシンボルをそれぞれ標記するＳ２工程と、
前記区域部件の各面に拓本材料を敷くことにより、前記区域部件に対応する平面展開ユニットを得て、対応する区域部件と同じな番号で前記平面展開ユニットをそれぞれ標記するＳ３工程と、
Ｓ１工程における寸法比例に応じて前記平面展開ユニットを拡大するＳ４工程と、
金属板を切り割ることにより、拡大した平面展開ユニットが得られるＳ５工程と、
字形図案と前記区域部件の標記番号によって、前記区域部件の位置と同じな平面展開ユニットを溶接し成形させるＳ６工程と、を含む３Ｄ立体金属字の製作方法を提供する。
【発明の効果】
【０００６】
本発明に係る３Ｄ立体金属字及び３Ｄ立体金属字の製作方法によれば、字形構造が新規で、耐用性があり、夜間に電流を通すと、視覚的効果が目立ち、意匠が美しく、都市夜景を美化する作用として効果を発揮することができる。
【図面の簡単な説明】
【０００７】
【図１】本発明に係る３Ｄ立体金属字の構造を示す図である。
【図２】本発明に係る別の３Ｄ立体金属字の構造を示す図である。
【図３】本発明に係る３Ｄ立体金属字の制作方法のフローチャートである。
【発明を実施するための形態】
【０００８】
以下、図面と実施例を参照し、本発明の実施の形態を詳しく説明する。なお、以下の実施例は本発明を説明するためのものであるが、本発明はこれに限るものではない。
【０００９】
図１、図２に示すように、本発明の実施例に係る３Ｄ立体金属字は、全ての字画が二つの平面を「山稜」の形状になるように交わらせることにより形成されたものである。例えば、アルファベットの「B」の場合に、全ての字画は「山稜」の形状を構成する「山稜」の表面１と「山稜」の表面２とを交わらせることにより形成されて、該「山稜」の形状の脊梁部３で字の形状が形成される。「山稜」の表面１及び「山稜」の表面２の表面の一部に孔５が開けられてもよく、または、表面の全部に孔５が開けられてもいい。該「山稜」の表面の底部が長手方向に側面４に溶接される。該側面４の表面の一部又は全部には任意の形状である孔５が開けられることが好ましい。
【００１０】
「山稜」の表面１、「山稜」の表面２及び側面４としては、金属材料で作成される。「山稜」の表面１、「山稜」の表面２及び側面４において、孔５が開けられる場所に、透光材料を敷くことが好ましい。また、該３Ｄ立体金属字は側面４に接続される底板をさらに備えて、底部空間を形成する。また、底板の形状は字の字画の形状と一致する。
【００１１】
底部空間に、発光素子が取り付けられる。また、発光素子はＬＥＤ、ネオン、又は白熱電球のいずれかである。
【００１２】
本発明に係る３Ｄ立体字は、広義的な字であり、例えば、漢字、アルファベット、アラビア数字、いろいろな符号、幾何図形又は他の字が広く指されるものである。
【００１３】
電源がオンになると、該３Ｄ立体金属字の本体が発光し、ライトがやわらかく、発光字体の立体感が強く、美感が高くため、広告看板や、各商業施設にとって理想の製品であり、また、都市夜景を美化する効果を発揮することができる。本発明に係る３Ｄ立体金属字は金属材料を使用したため、昼間に電源がオフになる場合に、該３Ｄ立体金属字の立体的効果も十分に目立ち、装飾効果が高く、耐久性を有し、意匠が非常に美しい。
【００１４】
図３に示すように、本発明の実施例に係る３Ｄ立体金属字の製作方法は、
字形図案に応じて、一定の寸法比例で木製又はシェブロンボード製の前記字形の３Ｄ立体状モールドを作成し、該３Ｄ立体状モールドの字形の全ての字画が二つの平面を「山稜」の形状になるように交わらせることにより形成されるＳ１工程と、
前記３Ｄ立体状モールドを１個又は２個以上の区域部件に分割し、且つ区域部件をそれぞれ標記して、具体的に、字形の字画に基づいて区域部件に分割するＳ２工程と、
前記区域部件の各面に、例えばインスタントステッカー又は粘着紙のような拓本材料を敷くことにより、前記区域部件に対応する平面展開ユニットを得て、対応する区域部件と同じな番号で前記平面展開ユニットをそれぞれ標記するＳ３工程と、
Ｓ１工程における寸法比例に応じて前記平面展開ユニットを拡大するＳ４工程と、
金属板を切り割ることにより、拡大した平面展開ユニットが得られるＳ５工程と、
字形図案と前記区域部件の標記番号によって、前記区域部件の位置と同じな平面展開ユニットを溶接し成形させるＳ６工程と、を含む。また、工程５において、孔の配置を予定する平面展開ユニットに対して孔をあけて、透光孔を形成させてもいい。
【００１５】
３Ｄ立体金属字の電源がオンになると、該３Ｄ立体金属字の本体が発光し、そのラインがやわらかく、発光字体の立体感が強く、高い美感があり、広告看板や、各商業施設にとって理想的な製品である。また、都市夜景を美化する効果を発揮することができる。それに、本発明に係る３Ｄ立体金属字は金属材料を使用したため、耐久性を有し、昼間に電源がオフになる場合に、該３Ｄ立体金属字も十分に目立ち、高い装飾効果を発揮することができ、意匠が非常に美しい。
【産業上の利用可能性】
【００１６】
本発明に係る３Ｄ立体金属字及び３Ｄ立体金属字の制作方法によれば、字形構造が新規で、耐久性を有し、夜間に電流がオンになると、視覚的効果が目立ち、意匠が美しく、都市夜景を美化する作用として効果を発揮することができる。
【図１】
0005745089.tif 000002
【図２】
0005745089.tif 000003
【図３】
0005745089.tif 000004